(57)【要約】  【課題】冷蔵庫を梱包する際に段ボール箱に同封される緩衝材を改良するものであり、作業者が梱包箱の上に乗ったとしても冷蔵庫を傷つけることのない冷蔵庫梱包用緩衝材を開発する。  【解決手段】冷蔵庫梱包用緩衝材３０は、本体部３２から扉部保護部３１と、延出部３３が延出されたものであり、これら三者が一体的に成形されたものである。本体部３２は、冷蔵庫１の右側辺１３に挿着されるものであり断面形状が略「Ｌ」型をしている。扉部保護部３１は、冷蔵庫１に装着された時にヒンジ部６を覆う位置に設けられている。延出部３３は、蓋部材１７の凸部２２の前端に近接した位置にくる様に成形されている。【選択図】図７
2007099379.tif 000002
【特許請求の範囲】
【請求項１】
冷蔵庫を箱詰めして梱包する際に冷蔵庫に装着される冷蔵庫梱包用緩衝材であって、梱包される冷蔵庫が前面側に扉を有し天面の形状が前辺、背辺、及び左右側辺によって構成される四角形であるものにおいて、前記側辺に装着される本体部と、前記本体部から突出し扉の上部に位置する部位を覆う扉部保護部と、前記本体部から突出し扉部保護部よりも背辺側であって後端までの間に設けられた延出部とを備えたことを特徴とする冷蔵庫梱包用緩衝材。
【請求項２】
冷蔵庫を箱詰めして梱包する際に冷蔵庫に装着される冷蔵庫梱包用緩衝材であって、梱包される冷蔵庫は天部に機械部材を配置する機械室と前記機械室を覆う蓋部材を備え、天面の形状が前辺、背辺、及び左右側辺によって構成される四角形であるものにおいて、前記側辺に装着される本体部と、前記冷蔵庫の蓋部材の近傍に位置する様に設けられた延出部とを備えたことを特徴とする冷蔵庫梱包用緩衝材。
【請求項３】
冷蔵庫を箱詰めして梱包する際に冷蔵庫に装着される冷蔵庫梱包用緩衝材であって、梱包される冷蔵庫は天部に機械部材を配置する機械室と前記機械室を覆う蓋部材を備え、前記機械室は少なくとも冷蔵庫天面側が開口するものであり、天面の形状が前辺、背辺、及び左右側辺によって構成される四角形であるものにおいて、前記側辺に装着される本体部と、前記冷蔵庫の機械室の天面の開口の前端近傍に位置する様に設けられた延出部とを備えたことを特徴とする冷蔵庫梱包用緩衝材。
【請求項４】
蓋部材は冷蔵庫本体の天面から盛り上がった凸部を有し、延出部は前記凸部の前端近傍に位置する様に設けられていることを特徴とする請求項２または３に記載の冷蔵庫梱包用緩衝材。
【請求項５】
冷蔵庫は前面側に扉を有し、冷蔵庫梱包用緩衝材は本体部から突出し扉の上部に位置する部位を覆う扉部保護部を有することを特徴とする請求項２から４のいずれか一項に記載の冷蔵庫梱包用緩衝材。
【請求項６】
扉部保護部の本体部からの延出距離と、延出部の本体部からの延出距離とが略同一であることを特徴とする請求項１または５に記載の冷蔵庫梱包用緩衝材。
【請求項７】
扉部保護部と延出部は本体部に対して一体的に成形されていることを特徴とする請求項１、５、６のいずれか一項に記載の冷蔵庫梱包用緩衝材。
【請求項８】
延出部の面積は、扉部保護部の面積よりも小さいことを特徴とする請求項１、５、６、７のいずれか一項に記載の冷蔵庫梱包用緩衝材。
【請求項９】
請求項１から８のいずれか一項に記載の冷蔵庫梱包用緩衝材を冷蔵庫の天部の左右側辺に装着した状態で冷蔵庫を段ボール箱に収容したことを特徴とする冷蔵庫の梱包構造。
【発明の詳細な説明】
【技術分野】
【０００１】
本発明は、冷蔵庫を段ボール箱等に梱包する際に使用する緩衝材に関するものである。また本発明は、冷蔵庫の梱包構造に関するものである。
【背景技術】
【０００２】
冷蔵庫は、各家庭に広く普及している。冷蔵庫は、工場で生産され、段ボール箱等に梱包されて各家庭に配送される。
【０００３】
冷蔵庫を段ボールに梱包する際には、冷蔵庫が段ボール箱の中でがたつかない様に発泡スチロール等の緩衝材が同封される。また緩衝材を同封することにより、段ボール箱の側面壁と冷蔵庫との間に隙間が生じる。そのため、側面から受ける衝撃を和らげられ、冷蔵庫が傷つかない。
【０００４】
冷蔵庫の梱包に利用する緩衝材は、例えば特許文献１に開示されている。
なお、一般的な冷蔵庫梱包用緩衝材は、冷蔵庫の天面の側辺に取り付けられる。冷蔵庫の天面には緩衝材は無い。
【特許文献１】特開２００３−１３７２９９号公報
【発明の開示】
【発明が解決しようとする課題】
【０００５】
ところで、冷蔵庫の輸送コストを低減する目的から、冷蔵庫を縦積みして倉庫に保管する場合がある。即ち冷蔵庫を梱包した箱の上に、さらにもう一つの冷蔵庫（段ボール箱）を乗せた状態でコンテナに積み込み、倉庫に保管する。
【０００６】
段ボール箱の積み上げは、フォークリフト等によって行われるが、作業の中途段階で、上下の段ボール箱の中心軸がずれた状態で積み上げられる場合がある。この時には下の段ボール箱の天面の中央部分に上の箱の荷重がかかる。
【０００７】
また稀ではあるが、上に積み上げた冷蔵庫の箱をずらす目的から、下の段ボール箱の上に作業者が乗る場合もある。
【０００８】
ここで段ボール箱は、側壁の真上から受ける荷重に対しては相当の剛性を持つが、天面壁の中央側は弱い。即ち段ボール箱の天面の中央側にかけられた荷重は、これを支持するものがない。そのため段ボール箱の中央側に集中荷重がかかると、天面が撓む。
【０００９】
具体例に則して説明すると、作業者が段ボールの天面の中央部を踏むと、天面が撓み、冷蔵庫の天面に当たる。
【００１０】
そのため下の段ボール箱の上に作業者の乗ると、段ボール箱の天面が撓み、冷蔵庫の天面を傷つける場合がある。
【００１１】
また本発明者らは、冷蔵庫の収納スペースを増大させることを目的として、圧縮機等の機械部品を上部側に配置したレイアウトの冷蔵庫を開発した。
【００１２】
即ち旧来の冷蔵庫では、圧縮機は冷蔵庫の下部であって前後方向には後方部に配置されていた。これに対して、新たな冷蔵庫は、冷蔵庫の上部であって後方側に圧縮機を配置した。
【００１３】
そのため冷蔵庫の上部に機械室を設け、機械室の蓋を冷蔵庫の天面に設けた。従って新レイアウトの冷蔵庫では、冷蔵庫の天面に蓋があり、蓋の下には空隙がある。そのため蓋の部位は他の部位に比べて剛性が低い。
【００１４】
さらに新レイアウトの冷蔵庫では、機械室の空間を広くとるために、蓋は、凸状をしており、蓋を取り付けた状態においては、蓋の部分は天面の他の部位に比べて高い。即ち蓋の部位が冷蔵庫の最高部となる。
【００１５】
そのため前記した様に段ボール箱の上に作業者が乗って段ボール箱の天面が撓むと、段ボールの内面は、冷蔵庫の最高部たる蓋に当たる。そして蓋は天面の中で最も剛性が低いから段ボールの天面が当たると、撓んで傷ついてしまう。
【００１６】
そこで本発明は、従来技術の上記した問題点に注目し、例え作業者が梱包箱の上に乗ったとしても冷蔵庫を傷つけることのない冷蔵庫梱包用緩衝材を開発することを課題とする。
【課題を解決するための手段】
【００１７】
そして上記した課題を解決するための請求項１に記載の発明は、冷蔵庫を箱詰めして梱包する際に冷蔵庫に装着される冷蔵庫梱包用緩衝材であって、梱包される冷蔵庫が前面側に扉を有し天面の形状が前辺、背辺、及び左右側辺によって構成される四角形であるものにおいて、前記側辺に装着される本体部と、前記本体部から突出し扉の上部に位置する部位を覆う扉部保護部と、前記本体部から突出し扉部保護部よりも背辺側であって後端までの間に設けられた延出部とを備えたことを特徴とする冷蔵庫梱包用緩衝材である。
【００１８】
本発明の冷蔵庫梱包用緩衝材では、本体部から突出し扉の上部に位置する部位を覆う扉部保護部と、本体部から突出し扉部保護部よりも背辺側であって後端までの間に設けられた延出部とを備える。上記した扉部保護部及び延出部はいずれも冷蔵庫の側辺から中央に向かって張り出すものであるから、段ボール等の箱の天面壁の下方に位置する。そのため段ボール等の箱の天面壁を支持し、撓みを防ぐ。
【００１９】
請求項２に記載の発明は、冷蔵庫を箱詰めして梱包する際に冷蔵庫に装着される冷蔵庫梱包用緩衝材であって、梱包される冷蔵庫は天部に機械部材を配置する機械室と前記機械室を覆う蓋部材を備え、天面の形状が前辺、背辺、及び左右側辺によって構成される四角形であるものにおいて、前記側辺に装着される本体部と、前記冷蔵庫の蓋部材の近傍に位置する様に設けられた延出部とを備えたことを特徴とする冷蔵庫梱包用緩衝材である。
【００２０】
本発明の冷蔵庫梱包用緩衝材は、圧縮機等を上部に配置したレイアウトの冷蔵庫に適するものである。
【００２１】
本発明の冷蔵庫梱包用緩衝材では、機械室の蓋部材の近傍に延出部が配置されるので、段ボール箱等の天面壁であって蓋部材の近傍部分が延出部によって補強される。そのため例え作業者が段ボール箱等の上に乗っても蓋部材を傷つけない。
【００２２】
請求項３に記載の発明は、冷蔵庫を箱詰めして梱包する際に冷蔵庫に装着される冷蔵庫梱包用緩衝材であって、梱包される冷蔵庫は天部に機械部材を配置する機械室と前記機械室を覆う蓋部材を備え、前記機械室は少なくとも冷蔵庫天面側が開口するものであり、天面の形状が前辺、背辺、及び左右側辺によって構成される四角形であるものにおいて、前記側辺に装着される本体部と、前記冷蔵庫の機械室の天面の開口の前端近傍に位置する様に設けられた延出部とを備えたことを特徴とする冷蔵庫梱包用緩衝材である。
【００２３】
本発明の冷蔵庫梱包用緩衝材についても圧縮機等を上部に配置したレイアウトの冷蔵庫に適するものである。
【００２４】
本発明の冷蔵庫梱包用緩衝材では、機械室の開口の近傍に延出部が配置されるので、段ボール箱等の天面壁であって開口の近傍部分が延出部によって補強される。そのため例え作業者が段ボール箱等の上に乗っても開口を覆う蓋部材を傷つけない。
【００２５】
請求項４に記載の発明は、蓋部材は冷蔵庫本体の天面から盛り上がった凸部を有し、延出部は前記凸部の前端近傍に位置する様に設けられていることを特徴とする請求項２または３に記載の冷蔵庫梱包用緩衝材である。
【００２６】
本発明の冷蔵庫梱包用緩衝材では、延出部が蓋部材凸部の前端近傍に位置する様に設けられている。そのため段ボール箱等の天面壁であって蓋部材凸部の近傍部分が延出部によって補強される。その結果、作業者が段ボール箱等の上に乗っても開口を覆う蓋部材を傷つけない。
【００２７】
請求項５に記載の発明は、冷蔵庫は前面側に扉を有し、冷蔵庫梱包用緩衝材は本体部から突出し扉の上部に位置する部位を覆う扉部保護部を有することを特徴とする請求項２から４のいずれか一項に記載の冷蔵庫梱包用緩衝材である。
【００２８】
本発明の冷蔵庫梱包用緩衝材では、扉部保護部を有するので、扉の構成部材が保護される。
【００２９】
請求項６に記載の発明は、扉部保護部の本体部からの延出距離と、延出部の本体部からの延出距離とが略同一であることを特徴とする請求項１または５に記載の冷蔵庫梱包用緩衝材である。
【００３０】
本発明の冷蔵庫梱包用緩衝材は、扉部保護部の本体部からの延出距離と、延出部の本体部からの延出距離とが略同一であるから、成形型に無駄な空間が少なく、成形型が比較的小さなものとなる。
【００３１】
請求項７に記載の発明は、扉部保護部と延出部は本体部に対して一体的に成形されていることを特徴とする請求項１、５、６のいずれか一項に記載の冷蔵庫梱包用緩衝材である。
【００３２】
本発明の冷蔵庫梱包用緩衝材は、扉部保護部及び延出部が本体部と一体的に成形されているので、成形が容易である。
【００３３】
請求項８に記載の発明は、延出部の面積は、扉部保護部の面積よりも小さいことを特徴とする請求項１、５、６、７のいずれか一項に記載の冷蔵庫梱包用緩衝材である。
【００３４】
本発明の冷蔵庫梱包用緩衝材では、延出部の面積が比較的小さいので、必要とする原材料が少ない。
【００３５】
請求項９に記載の発明は、請求項１から８のいずれか一項に記載の冷蔵庫梱包用緩衝材を冷蔵庫の天部の左右側辺に装着した状態で冷蔵庫を段ボール箱に収容したことを特徴とする冷蔵庫の梱包構造である。
【００３６】
本発明の冷蔵庫の梱包構造では、冷蔵庫梱包用緩衝材によって段ボール箱等の天面が補強される。
【発明の効果】
【００３７】
本発明の冷蔵庫梱包用緩衝材は、段ボール箱等の梱包箱の天面を補強する機能を持ち、梱包箱天面の撓みを阻止することができる。そのため段ボール箱等の上に作業者が乗るようなことがあっても冷蔵庫の天面を傷つけない。
【００３８】
また本発明の冷蔵庫の梱包構造は冷蔵庫梱包用緩衝材の作用によって冷蔵庫の天面が保護される。
【発明を実施するための最良の形態】
【００３９】
（実施の形態１）
発明の実施の形態の説明に先立ち、梱包される冷蔵庫の構造について説明する。
【００４０】
図１は、本発明の実施の形態１における冷蔵庫の梱包構造によって梱包される冷蔵庫を正面側から観察した斜視図である。図２は、図１の冷蔵庫を裏面側から観察した分解斜視図である。
【００４１】
本発明の冷蔵庫の梱包構造によって梱包される冷蔵庫（以下、単に冷蔵庫と称する）１は、外形形状が直方体であり、前面側に扉２が設けられている。扉２は観音開き形式であり、左右いずれの方向からでも開閉可能なものである。そのため冷蔵庫１には、正面から見て左右両側にヒンジ部５，６がある。
【００４２】
冷蔵庫１の天面は、四角形であり、前辺１０、背辺１２、及び左右側辺１１，１３を有する。
【００４３】
冷蔵庫の上部であって背辺１２側には、図２に示すような機械室１５が設けられている。機械室１５は、図２に示すように天面近傍の後端の角にあり、天面側と背面側が開口する。機械室１５には、圧縮機１６その他が内蔵されている。
【００４４】
機械室１５には蓋部材１７が取り付けられている。蓋部材１７は、機械室１５の天面側開口と背面側開口を覆うことができる様に略「Ｌ」型をしている。即ち天面側覆部２０と背面側覆部２１を持つ。天面側覆部２０はやや膨らみを持つ。即ち天面側覆部２０には凸部２２が設けられている。
【００４５】
次に本発明の実施形態の冷蔵庫梱包用緩衝材について説明する。
【００４６】
図３は、本発明の実施の形態１における冷蔵庫梱包用緩衝材であって右側辺に取り付けられるものの斜視図である。図４は、図３に示す冷蔵庫梱包用緩衝材を反対から観察した斜視図である。図５は、図３に示す冷蔵庫梱包用緩衝材を下側から観察した斜視図である。図６は、図３のＡ−Ａ線における断面図である。
【００４７】
冷蔵庫梱包用緩衝材は、二つ一組で使用されるが、両者は対称形状であるから、右側の冷蔵庫梱包用緩衝材３０を例に説明し、左側の冷蔵庫梱包用緩衝材３０’の説明は省略する。冷蔵庫梱包用緩衝材３０は、発泡スチロール等の発泡性樹脂によって作られたものである。冷蔵庫梱包用緩衝材３０は、本体部３２から扉部保護部３１と、延出部３３が延出されたものであり、これら三者が一体的に成形されたものである。
【００４８】
冷蔵庫梱包用緩衝材３０の本体部３２は、冷蔵庫１の右側辺１３に挿着されるものであり断面形状が図６に示すように略「Ｌ」型をしている。即ち本体部３２は、冷蔵庫１の天面と接する天面接触壁３５とこれに対して垂直に設けられ、冷蔵庫１の右側面と接する側面接触壁３６によって構成されている。
【００４９】
また本体部３２の長手方向の両端には、前面壁接触部３７と背面壁接触部３８が設けられている。前面壁接触部３７と背面壁接触部３８の内寸法は、冷蔵庫１の前辺１０と背辺１２との距離に等しい。
【００５０】
また本体部３２から扉部保護部３１と延出部３３が延出されている。より具体的には本体部３２の天面接触壁３５から扉部保護部３１と延出部３３が延出されている。
【００５１】
天面接触壁３５から扉部保護部３１の上面側は同一平面であり、下面側についても同一平面である。また天面接触壁３５の厚さと扉部保護部３１の厚さは等しい。両者の厚さは、前記した蓋部材１７の凸部２２の高さよりも厚い。
【００５２】
扉部保護部３１の本体部３２からの延出距離Ｌと、延出部３３の本体部３２からの延出距離ｌは略同一である。即ち両者の相違は、短い方を基準としてその１０％以内である。
【００５３】
扉部保護部３１と延出部３３の形状は、いずれも略四角形であるが、扉部保護部３１はその幅が広く正方形に近いのに対し、延出部３３は幅が狭く、帯状に近い。扉部保護部３１と延出部３３の間の部位は、応力集中を防ぐために円弧状の曲線となっている。
【００５４】
扉部保護部３１は、冷蔵庫１に装着された時にヒンジ部５を覆う位置に設けられている。そのため図５の様に扉部保護部３１の裏面側には凹部２８があり、当該凹部２８がヒンジ部６に被さる。また延出部３３は、蓋部材１７の凸部２２の前端に近接した位置にくる様に成形されている。なお本実施形態では、延出部３３の位置は、機械室１５の天面の開口の前端近傍でもあり、蓋部材の近傍でもある。
【００５５】
次に実施形態の冷蔵庫梱包用緩衝材３０の使用方法について説明する。
【００５６】
図７は、本発明の実施の形態１における冷蔵庫梱包用緩衝材を使用した梱包状態を示す斜視図である。図８は、同実施の形態の冷蔵庫の上部と段ボール箱の一部を示す斜視図である。図９は、図７のＡ−Ａ断面図である。
【００５７】
冷蔵庫１を梱包する際には、冷蔵庫１の天面に冷蔵庫梱包用緩衝材３０，３０’を装着する。具体的には、天面の左側辺１１に冷蔵庫梱包用緩衝材３０’を取り付け、右側辺１３に冷蔵庫梱包用緩衝材３０を取り付ける。ここで本実施形態では、冷蔵庫梱包用緩衝材３０，３０’の本体部３２の断面形状が図６に示すように略「Ｌ」型であるから、冷蔵庫１の天面の角に装着される。また冷蔵庫梱包用緩衝材３０，３０’の前面壁接触部３７が冷蔵庫の前面壁と接し、背面壁接触部３８が冷蔵庫の背面壁と接するので、冷蔵庫梱包用緩衝材３０，３０’は冷蔵庫１の前面、天面、側面、背面の４面と接し、がたつくことなくしっかりと取り付けられる。
【００５８】
この状態において、冷蔵庫梱包用緩衝材３０，３０’の扉部保護部３１は、冷蔵庫１のヒンジ部５，６を覆う。また延出部３３は、蓋部材１７の凸部２２の前端に近接した位置にくる。
【００５９】
冷蔵庫の底には、公知形状の台４０が装着される。
【００６０】
そしてこの状態で、冷蔵庫１が段ボール箱４１に装入される。段ボール箱４１は公知のそれと同様であり、底面を除く５面５０，５１，５２，５３，５４を備える。また天面５０は、４枚の垂れ部５５，５６，５７，５８が重ねられて構成されている。
【００６１】
本実施形態では、段ボール箱４１は、組み立てた状態で冷蔵庫１の上から被せられる。段ボール箱４１の中の様子は、図９の通りであり、冷蔵庫１のヒンジ部５，６と段ボール箱４１の天面５０との間には、冷蔵庫梱包用緩衝材３０，３０’の扉部保護部３１があり、上からの衝撃がヒンジ部５，６にかかることを防いでいる。
【００６２】
また蓋部材１７の上部側に荷重がかかると、当該部位の天面５０が下がるが、蓋部材１７の近傍に冷蔵庫梱包用緩衝材３０，３０’の延出部３３があるから、当該延出部３３に段ボール箱４１の天面５０が当たる。ここで冷蔵庫梱包用緩衝材３０，３０’の延出部３３は、比較的剛性の高い、冷蔵庫１の天面の本体部に乗っているから、上からの荷重を負担することができる。そのため段ボール箱４１はそれ以上は撓まず、冷蔵庫１の蓋部材１７を傷つけない。
【００６３】
以上説明した実施形態では、冷蔵庫梱包用緩衝材３０，３０’は、本体部３２から扉部保護部３１と延出部３３が延出した構成を例示したが、第３の部材が延出されていてもよい。
【産業上の利用可能性】
【００６４】
本発明にかかる冷蔵庫の梱包用緩衝材及び冷蔵庫の梱包構造は、梱包箱天面の撓みを阻止し冷蔵庫の天面を傷つけないものであり、冷蔵庫のみならず、同様の構造を持つ機器の梱包仕様として適用できる。
【図面の簡単な説明】
【００６５】
【図１】本発明の実施の形態１における冷蔵庫の梱包構造によって梱包される冷蔵庫の斜視図
【図２】同実施の形態の冷蔵庫の梱包構造によって梱包される冷蔵庫を裏面側から見た分解斜視図
【図３】同実施の形態の冷蔵庫梱包用緩衝材の右側辺に取り付けられるものの斜視図
【図４】図３に示す冷蔵庫梱包用緩衝材を反対から見た斜視図
【図５】図３に示す冷蔵庫梱包用緩衝材を下側から見た斜視図
【図６】図３のＡ−Ａ線断面図
【図７】同実施の形態の冷蔵庫梱包用緩衝材を使用した梱包状態を示す斜視図
【図８】同実施の形態の冷蔵庫の上部と段ボール箱の一部を示す斜視図
【図９】図７のＡ−Ａ線断面図
【符号の説明】
【００６６】
１    冷蔵庫
１０  前辺
１１  左側辺
１２  背辺
１３  右側辺
１５  機械室
１７  蓋部材
２２  凸部
３０，３０’  冷蔵庫梱包用緩衝材
３１  扉部保護部
３２  本体部
３３  延出部
４１  段ボール箱
【図１】
2007099379.tif 000003
【図２】
2007099379.tif 000004
【図３】
2007099379.tif 000005
【図４】
2007099379.tif 000006
【図５】
2007099379.tif 000007
【図６】
2007099379.tif 000008
【図７】
2007099379.tif 000009
【図８】
2007099379.tif 000010
【図９】
2007099379.tif 000011